(57)【特許請求の範囲】
【請求項１】
平面視形状をへ字形に形成しその中央部をケーシングに対して上下方向に軸支し正面の両端寄りに形成した仮ロック施錠押部と仮ロック解錠押部を交互に前後方向に揺動自在とした操作部と、左右側面が開口した箱状体でその上下面にそれぞれ左右方向に延びる平行な２つのガイド穴と１つの支点軸穴を有しそのガイド穴のうち１つが折曲しているガイドケースと、前記操作部の前後方向の揺動を左右方向の揺動に変えて鉤部を動かすため操作部との連結軸とガイドケースへの支点軸と鉤部との連結軸の３本の軸を平面視略直角三角形の位置に配置したリンクと、鉤先が扉端部から出没すると共に戸当り部の係止穴に係合離脱するためガイドケースに２本の軸で上下方向に軸支し左右方向にスライドしかつ前後方向に揺動可能とした鉤部と、鍵を差込んで回すことにより同時に回り動く舌片を有しその舌片が前記操作部の係合片に係合して操作部の揺動を阻止するシリンダー錠と、前記操作部とガイドケースとリンクと鉤部とシリンダー錠を内部に配置するケーシングとそのケーシングを引戸扉に固定する内カバーからなる引戸扉のロック構造。
【請求項２】
ケーシングに支点軸で支持した揺動子と操作部との連結軸を引張バネで引張り前記支点軸を間にしてケーシングに固定することにより、揺動子の揺動で前記引張バネが揺動子の支点軸に対して前後に振り変わり、揺動子が引張バネの引張力により揺動範囲の前後両極位置に揺動して、操作部が中間的な状態ではなく常に仮ロック施錠状態または仮ロック解錠状態のいずれかの状態になるよう構成したことを特徴とする請求項１記載の引戸扉のロック構造。
【請求項３】
仮ロック施錠状態にある操作部を引戸背面側から作動させて仮ロック解錠状態にするための閉じ込み防止手段として、ケーシングの背面に上下にわたる仮ロック解錠レバーを上下方向に軸支し操作部の仮ロック施錠押部内側に突片を形成することにより、引戸扉を開けようとする自然な動作で前記仮ロック解錠レバーが揺動しその端部が前記突片を前方へ押し操作部が揺動して仮ロック解錠状態となるよう構成したことを特徴とする請求項１または２記載の引戸扉のロック構造。
【発明の詳細な説明】
【０００１】
【発明の属する技術分野】
本発明は引戸扉のロック構造であり、詳しくは指先や肘または手に持った品物等で押す操作により鍵を使用しない仮ロック施錠、仮ロック解錠をおこなうことができ、また内部からも仮ロックを解錠することができ、鍵を使用して本施錠することもできるプレハブ建物あるいは物置等のロック構造に関する。
【０００２】
【従来の技術】
従来、プレハブ建物あるいは物置の引戸扉においては鍵で施錠および解錠をするのが通常であるが、最近では鍵を使用しないで引戸扉の鉤部を戸当りに掛合させて仮ロックさせる構造のものもよく見かける。しかしこれらは指先で操作部を回したりレバーをつまんだりしなければ仮ロックが解錠できず両手で品物を持った状態とか手先が不自由な方が操作できないという問題があった。
【０００３】
【発明が解決しようとする課題】
そこで本発明は、上記問題を解決するために、両手で品物を持った状態とか手先が不自由な方でも操作がしやすいように、手に持った品物や肘でも仮ロックの施錠や解錠ができ引戸扉を開閉することができるなど、一般に「ユニバーサル・デザイン」といわれる年齢や性別、個体、状況などの差異を超えて誰でも公平かつ自由に使用でき、容易に使用方法が理解でき、無理なく安全に使えるロック構造を提供することを目的とする。
【０００４】
【課題を解決するための手段】
前記課題を解決するため、請求項１の発明は、仮ロック施錠押部と仮ロック解錠押部を交互に前後方向に揺動自在とした操作部と、左右側面が開口した箱状体でその上下面にそれぞれ左右方向に延びる平行な２つのガイド穴と１つの支点軸穴を有しそのガイド穴のうち１つが折曲しているガイドケースと、前記操作部の前後方向の揺動を左右方向の揺動に変えて鉤部を動かすリンクと、鉤先が扉端部から出没すると共に戸当り部の係止穴に係合離脱するようガイドケースのガイド穴に２本の軸で上下方向に軸支した鉤部と、鍵を差込んで回すことにより操作部の揺動を阻止するシリンダー錠と、前記操作部とガイドケースとリンクと鉤部とシリンダー錠を内部に配置するケーシングとそのケーシングを引戸扉に固定する内カバーからなる構造とした。
【０００５】
このように構成することにより仮ロックの施錠解錠は、操作部の仮ロック施錠押部または仮ロック解錠押部を押すだけで良いので両手で品物を持った状態とか手先が不自由な方でも容易に仮ロックの施錠解錠が可能である。また引戸扉が開いているときは鉤部の先端が扉内部に隠れているので衣類や身体が引っ掛かったりすることがない。また鍵を使用してシリンダー錠で本施錠することもできる。
【０００６】
また請求項２の発明は、ケーシングに支点軸で支持した揺動子と操作部との連結軸を引張バネで引張り前記支点軸を間にしてケーシングに固定することにより、揺動子の揺動で前記引張バネが揺動子の支点軸に対して前後に振り変わり、揺動子が引張バネの引張力により揺動範囲の前後両極位置に揺動して、操作部が中間的な状態ではなく常に仮ロック施錠状態または仮ロック解錠状態のいずれかの状態になるよう構成した。このように構成することにより操作部に対する操作が不充分であったり中途半端であっても仮ロックの施錠または解錠は確実におこなわれる。
【０００７】
また請求項３の発明は、仮ロック施錠状態にある操作部を引戸背面側から作動させて仮ロック解錠状態にするための閉じ込み防止手段として、ケーシングの背面に上下にわたる仮ロック解錠レバーを上下方向に軸支し操作部の仮ロック施錠押部内側に突片を形成することにより、引戸扉を開けようとする自然な動作で前記仮ロック解錠レバーが揺動しその端部が前記突片を前方へ押し操作部が揺動して仮ロック解錠状態となるよう構成した。このように構成することにより、プレハブ建物内部や物置内部に人が入って引戸扉の仮ロックが施錠状態になり内部が暗いとか、閉じ込み防止手段の認識がなくても、引戸扉を開けようとする手の動きで仮ロックを解錠して容易に引戸扉を開くことができる。
【０００８】
【発明の実施の形態】
本発明の実施の形態を図面を参照して説明する。
図１は、引戸扉Ａの端部に取付けたロック装置Ｂを示す全体斜視図である。ロック装置Ｂのケーシング１の前面凹部に配置された操作部２は、平面視が略へ字形状で正面左側に仮ロック施錠押部２１と正面右側に仮ロック解錠押部２２の凹曲面が形成されており、両押部はシーソーのように交互に前後方向に揺動する。仮ロック施錠押部２１を押すとケーシング１の左側面から鉤部３の先端が突出揺動して戸当り（図示省略）の掛合孔に係合して引戸扉Ａは仮ロック施錠状態となり、仮ロック解錠押部２２を押すと鉤部３の先端がケーシング１内に引き込まれて引戸扉Ａは解錠状態となる。またケーシング１には鍵４１を使用して操作部２の揺動を阻止し本施錠をするシリンダー錠４が組み込まれている。図中Ａ１は引戸扉Ａを開閉するための把手である。
【０００９】
図２は、ロック装置Ｂを分解して示した分解斜視図である。ケーシング１は、前面に操作部２がはまる凹部１１とシリンダー錠４がはまる錠用穴１２を形成し引戸扉Ａの端部寄りに形成した取付穴Ａ２に扉正面側から挿入しケーシング１の前面全周にわたるフランジ部１３で支えて引戸扉Ａの背面から内カバー７を被せて固定する。
【００１０】
操作部２は前記ケーシング１の凹部１１にはめ込み中央をケーシング１に対して上下方向に軸支する。鉤部３はガイドケース６内に左右方向にスライド可能に軸支しガイドカバー６１と共にケーシング１の背面に固定する。シリンダー錠４はケーシング１の錠用穴１２にはめ込みケーシング１にビスで固定し後端に鍵４１の操作で回動する舌片４２をビス止めする。リンク５はガイドケース６に軸支した鉤部３とケーシング１に軸支した操作部２にそれぞれ連結して前記ガイドケース６内に軸支する。
【００１１】
揺動子８はケーシング１の凹部１１内右側に支点軸で揺動可能に軸支し操作部２の右内壁に連結するもう１つの軸に引張バネ８１を取付け前記支点軸を間にして引張バネ８１の他端をケーシングに固定する。仮ロック解除レバー９は右方向に揺動した場合に右端部が操作部２の仮ロック施錠押部２１の背面に形成した突片２３（図４参照）に当たるようケーシング１の背面に配置しケーシングに対して上下方向に軸支する。
【００１２】
図３は、ケーシング１の斜視図である。前面に操作部２をはめる凹部１１とシリンダー錠をはめる錠用穴１２を形成し、前面縁部に引戸扉Ａに固定するためのフランジ部１３を形成し、前記凹部１１内に操作部２を軸支する軸穴とストッパーが一対になった操作部軸受１４一対と揺動子８を軸支する揺動子軸受１５一対と引張バネ８１を固定するバネ掛止部１６と仮ロック解錠レバー９を軸支するレバー軸受１７一対を形成する。周壁上下面には操作部２を軸支する軸穴１８を形成し、錠用穴１２に面した周壁上面にはシリンダー錠４を固定するためのネジ穴１９と舌片４２が回動するための切欠部１１１を形成し、周壁左側面には鉤部３が出没するための切欠部１１２を形成する。
【００１３】
図４は、操作部２を背面側から見た斜視図である。仮ロック施錠押部２１の背面には前述の一対の突片２３を形成し、仮ロック施錠押部２１の外周側面にはリンク５（図５参照）の上板５１と下板５２の間に挿入して連結軸５３と連結するリンク連結溝２５とその上部にシリンダー錠４の舌片４２と係合する舌片係合片２６を形成し、仮ロック解錠押部２２の背面には揺動子８の連結軸を支持する前後片が一対になった揺動子連結部２４を一対形成する。
【００１４】
図５は、鉤部３とリンク５とガイドケース６とガイドカバー６１を分解した状態の斜視図である。ガイドケース６は左右側面が開口した箱状体で上下面にそれぞれ第１ガイド穴６２と第２ガイド穴６３とジョイント支点軸穴６４を形成する。第１ガイド穴６２は左右方向に長い穴で、第２ガイド穴６３は前記第１ガイド穴６２と平行で同じ長さの穴であるが穴の左端を前方側に折曲し穴位置を第１ガイド穴６２に対して後方左側にずらして形成する。
【００１５】
鉤部３は左端に後方向きの鉤３１を形成し右側には第１軸穴３２と第２軸穴３３が設けられた上下板３４、３５を一体的に形成する。鉤部３をガイドケース６内に配置し第１軸６５で第１ガイド穴６２を介して第１軸穴３２を貫通し第２軸６６で第２ガイド穴６３を介して第２軸穴３３を貫通する。鉤部３はガイドケース６に対して左右にスライドすると共にスライドした左端で鉤３１が後方に揺動する。
【００１６】
リンク５は平面視が逆へ字形状で右半分に上下板５１、５２を一体的に形成しその上下板５１、５２の右端部に前述の操作部２との連結軸５３と前端部にガイドケース６に対する支点軸穴５４を有する。リンク５の左半分には鉤部３の上板３４と下板３５の間に挿入しその先端に第２軸６６と連結する連結溝５５を形成する。リンク５をガイドケース６内に配置して鉤部３と連結し支点軸６７でジョイント支点軸穴６４を介して支点軸穴５４を貫通する。それから横断面がコ字形状のガイドカバー６１をガイドケース６の後方から被せてガイドカバー前端の上下突起６１１をガイドカバー６の上下凹部６８に係合させる。
【００１７】
図６は、施錠した状態を示す水平断面図である。操作部２の仮ロック施錠押部２１を押すこと（図中矢印）によりリンク５は支点軸６７を中心に図面上反時計回りに揺動し鉤部３は左方向にスライドするに続いて第１軸６５を中心に図面上時計回りに揺動することにより鉤３１が引戸扉Ａの左端部から突き出て戸当り部Ｃの係止穴Ｃ１に係合する。
【００１８】
また操作部２内の右端には揺動子８を配置し、ケーシング１内の一対の揺動子軸受１５に支点軸８２で軸支し、操作部２の揺動子連結部２４に引張バネ８１を係止した連結軸８３で連結する。引張バネ８１の他端は前記支点軸８２を間にしてケーシング１のバネ掛止部１６に掛止する。この状態において引張バネ８１が支点軸８２に対して前方に位置するので揺動子８には図面上時計回りの力が加わり操作部２の仮ロック解錠押部２２を前方へ揺動させている。
【００１９】
図７は、解錠した状態を示す水平断面図である。操作部２の仮ロック解錠押部２２を押すこと（図中矢印）によりリンク５は支点軸６７を中心に図面上時計回りに揺動し鉤部３は第１軸６５を中心に図面上反時計回りに揺動するに続いて右方向にスライドすることにより鉤３１が引戸扉Ａ内に引っ込む。さらに仮ロック解錠押部２２を押した手または肘あるいは手に持った品物等をそのまま引戸扉Ａの表面に沿って右方向に滑らせると引戸扉Ａの表面から突出し且つ上下方向に長く形成した把手Ａ１（図１参照）に引っ掛かるので引戸扉Ａを開くことができる。このように仮ロックの解錠から引戸扉Ａの開口までを、一連の動作でしかも手が塞がっている場合、手が使えない場合でも容易に行うことができる。
【００２０】
この状態において引張バネ８１が支点軸８２に対して後方に振り変るので揺動子８には図面上反時計回りの力が加わり操作部２の仮ロック解錠押部２２を後方へ揺動させている。またこの時、操作部２の仮ロック施錠押部２１の周壁面２１１を蛍光色や反射塗料で着色することにより仮ロックが解錠状態であることが遠くからでも一目で確認できる。
【００２１】
図８は、図６、図７における鉤部３の動きをわかりやすく示した断面図である。施錠状態から解錠して引戸扉を開く状態を（ａ）（ｂ）（ｃ）の順に示している。施錠状態である（ａ）において、鉤部３の第１軸６５はガイドケース６の第１ガイド穴６２の左端に位置し第２軸６６は第２ガイド穴６３の左端で前方に折曲した部分の端部に位置して、鉤部３はその先端の鉤３１を引戸扉Ａの左端から突出して戸当り部Ｃの係止穴Ｃ１の縁に引掛けている。
【００２２】
次に解錠状態である（ｂ）において、第１軸６５は第１ガイド穴６２の左端から少し右に寄った位置に移動し、第２軸６６は第２ガイド穴６３の前方に折曲した部分から出た位置に移動している。それで鉤部３は第１軸６５を中心に少し反時計回りに傾いた状態で先端の鉤３１は係止穴Ｃ１の縁から外れている。
さらに引戸扉Ａを少し開いた状態である（ｃ）において、第１軸６５は第１ガイド穴６２の右端に位置し、第２軸６６は第２ガイド穴６３の右端に位置して、鉤部３は（ｂ）の傾きのまま右方向にスライドしてその先端の鉤３１を引戸扉Ａの端部内に引っ込めている。
【００２３】
図９は、閉じ込み防止手段の仮ロック解除レバー９を動かして図７の状態と同様に解錠した状態を示す水平断面図である。ケーシング１の背面ほぼ中央に配置した仮ロック解除レバー９をケーシング１のレバー軸受１７で上下方向に軸支し図面上時計回りに動かすことにより仮ロック解除レバー９の右端部の作用辺９１が操作部２の仮ロック施錠押部２１の背面に形成した一対の突片２３を前方に押し戻すので仮ロックが解錠され引戸扉Ａが開く。
【００２４】
仮ロック解除レバー９を図面上時計回りに動かすことは、建物または物置の内部側（図面上側）から引戸扉Ａを開けようとする図面上右方向への自然な手の動き（図中矢印）によりおこなえるものであり、仮ロック解除レバー９が閉じ込み防止手段であるということを認識していなくても引戸扉を開けることができる。
【００２５】
図１０は、仮ロック施錠状態を示す縦断面図である。シリンダー錠４の後端に取り付けられた舌片４２はケーシング１の切欠部１１１から突出して上方を向いている。この状態においては操作部２を操作することにより仮ロックを解錠することができる。
【００２６】
図１１は、本施錠状態を示す縦断面図である。シリンダー錠に鍵（図示省略）を差込んで図面上時計回りに９０度回し舌片４２を操作部２の右上コーナー部に形成した舌片係合片２６の前面に倒しているため操作部２の仮ロック解錠押部２２を押しても操作部２は揺動せず解錠はできない。
【００２７】
図１２は、引戸扉Ａが開いた状態において何らかの原因で仮ロック施錠押部２１が押されて仮ロック施錠状態となった状態を示す水平断面図である。この状態から扉を閉じると鉤部３の鉤３１の傾斜面３６が戸当り部Ｃの係止穴Ｃ１の縁部に当り前方に押されてその縁部をかわした後、元の位置に戻り引戸扉Ａは閉じた状態で仮ロック施錠状態となる。
【００２８】
【発明の効果】
仮ロックの施錠解錠は、操作部の仮ロック施錠押部または仮ロック解錠押部を押すだけで良いので両手で品物を持った状態とか手先が不自由な方でも容易におこなうことができる。さらに仮ロック解錠押部を押した手または肘や品物を扉の表面に沿って右方向に滑らせると扉表面から突出した把手に引っ掛かるので容易に扉を開くことができる。また引戸扉が開いているときは鉤部の先端が扉内部に隠れているので衣類や身体が引っ掛かったりすることがない。
【００２９】
また操作部に常に引張バネの力が加わっているため操作部に対する施錠または解錠操作が不充分であったり的確でなくても仮ロックの施錠または解錠は確実におこなわれる。
閉じ込み防止手段により、プレハブ建物内部や物置内部に人が入って引戸扉の仮ロックが施錠状態になり内部が暗かったり、閉じ込み防止手段の認識がなくても、引戸扉を開けようとして動かす自然な手の動作で仮ロック解錠レバーが作動して容易に引戸扉を開くことができる。
【００３０】
また仮ロック解錠状態時にケーシングから露出する操作部の仮ロック施錠押部の周壁面を蛍光色や反射塗料で着色することにより、仮ロック解錠状態であることが扉から離れた位置からでも容易に確認でき、鍵の掛け忘れ防止ができる。
引戸扉が開いている場合には、仮ロックが解錠状態であるか施錠状態であるかを意識することなく通常通りに引戸扉を閉じることができるので、余分な気を使わなくても良い。
【図面の簡単な説明】
【図１】本発明のロック装置を示した全体斜視図
【図２】ロック装置を分解して示した分解斜視図
【図３】ケーシングを前面から見た斜視図
【図４】操作部を背面側から見た斜視図
【図５】要部を拡大して示した斜視図
【図６】施錠した状態を示す水平断面図
【図７】解錠した状態を示す水平断面図
【図８】図６、図７における要部をわかりやすく示した断面図
【図９】閉じ込み防止手段で解錠した状態を示す水平断面図
【図１０】仮ロック施錠状態を示す縦断面図
【図１１】本施錠状態を示す縦断面図
【図１２】引戸扉が開いて仮ロックが施錠状態を示す縦断面図
【符号の説明】
Ａ…引戸扉
Ｂ…ロック装置
１…ケーシング
２…操作部
３…鉤部
４…シリンダー錠
５…リンク
６…ガイドケース
７…内カバー
８…揺動子
９…仮ロック解錠レバー
【図１】
0003591780.tif 000002
【図２】
0003591780.tif 000003
【図３】
0003591780.tif 000004
【図４】
0003591780.tif 000005
【図５】
0003591780.tif 000006
【図６】
0003591780.tif 000007
【図７】
0003591780.tif 000008
【図８】
0003591780.tif 000009
【図９】
0003591780.tif 000010
【図１０】
0003591780.tif 000011
【図１１】
0003591780.tif 000012
【図１２】
0003591780.tif 000013